(57)【特許請求の範囲】
【請求項１】
スキャンしたデータを取り込むインタフェースを有し、着脱可能な可搬性記憶媒体に前
記スキャンデータを保存する画像読取装置において、
前記スキャンデータの用途にそれぞれ対応するアプリケーションプログラムを有し、
前記アプリケーションプログラムに対して当該アプリケーションプログラムの使用を制限する使用制限情報を内包する手段を有し、
前記アプリケーションプログラムに対して前記スキャンデータを内包する手段を有し、
前記使用制限情報と前記スキャンデータとを内包したアプリケーションプログラムを前記可搬性記憶媒体に保存する手段を有し、
前記可搬性記憶媒体に保存された用途対応のアプリケーションプログラムは、前記画像読取装置に接続されたパソコンで前記スキャンデータの用途を限定して実行できるプログラムであり、
前記アプリケーションプログラムに内包された前記使用制限情報は、前記画像読取装置に接続されたパソコンでアプリケーションプログラムの使用を制限するセキュリティを設定するための情報である
ことを特徴とする画像読取装置。
【請求項２】
請求項１において、
前記用途対応のアプリケーションプログラムは、前記スキャンデータの閲覧を可能とするためのプログラムであることを特徴とする画像読取装置。
【請求項３】
請求項１において、
前記用途対応のアプリケーションプログラムは、前記スキャンデータの印刷送信を可能とするためのプログラムであることを特徴とする画像読取装置。
【請求項４】
請求項１において、
前記用途対応のアプリケーションプログラムは、前記スキャンデータのＦＡＸ送信を可能とするためのプログラムであることを特徴とする画像読取装置。
【請求項５】
請求項１において、
前記用途対応のアプリケーションプログラムは、前記スキャンデータのメール送信を可能とするためのプログラムであることを特徴とする画像読取装置。
【請求項６】
請求項１において、
前記使用制限情報は、前記スキャンデータ毎のパスワード設定で前記アプリケーションプログラムの使用を制限するための情報であり、
前記パスワード設定は、前記パソコンで前記アプリケーションプログラムを起動したときに当該アプリケーションプログラムの使用可否を判断するために用いられるものである
ことを特徴とする画像読取装置。
【請求項７】
請求項１において、
前記使用制限情報は、前記スキャンデータ毎に設定され、且つ前記スキャンデータの用途のサービスを実行するサービス機器のシリアルＮｏまたはＭＡＣアドレスのシリアル設定で前記アプリケーションプログラムの使用を制限するための情報であり、
前記シリアル設定は、サービスを実現する機器であるか否かを判断するために用いられるものである
ことを特徴とする画像読取装置。
【請求項８】
請求項１において、
前記使用制限情報は、前記スキャンデータ毎の使用回数設定で前記アプリケーションプログラムの使用を制限するための情報であることを特徴とする画像読取装置。
【請求項９】
請求項１において、
前記使用制限情報は、前記スキャンデータ毎の使用期間設定で前記アプリケーションプログラムの使用を制限するための情報であることを特徴とする画像読取装置。
【請求項１０】
請求項８において、
前記使用回数設定は、前記アプリケーションプログラムの使用可能回数の上限であって、前記アプリケーションプログラムは、前記使用可能回数を過ぎて実行されたときに自動で前記スキャンデータを削除することをコンピュータに実行させる
ことを特徴とする画像読取装置。
【請求項１１】
請求項９において、
前記使用期間設定は、前記アプリケーションプログラムの使用可能期間であって、前記アプリケーションプログラムは、前記使用可能期間を過ぎて実行されたときに自動で前記スキャンデータを削除することをコンピュータに実行させる
ことを特徴とする画像読取装置。
【請求項１２】
請求項７において、
前記シリアル設定は、前記サービス機器のＭＡＣアドレス、ネットワークアドレス、シリアルＮｏ、またはモデル名の一意的な識別情報の中のいずれか１つ又は複数からなり、
前記アプリケーションプログラムは、当該アプリケーションプログラムを実行するサービス機器の一意的な識別情報を取得することをコンピュータに実行させる
ことを特徴とする画像読取装置。
【請求項１３】
請求項６において、
前記可搬性記憶媒体に保存されたアプリケーションプログラムは、当該アプリケーションプログラムの実行時にパスワードを問い合わせることをコンピュータに実行させる機能を有し、
前記問い合わせに対する応答入力と前記使用制限情報であるパスワードとの比較で前記アプリケーションプログラムの使用を許可するか否かを判断する機能を有する
ことを特徴とする画像読取装置。
【請求項１４】
スキャンしたデータの用途にそれぞれ対応する、閲覧、印刷送信、ＦＡＸ送信、またはメール送信を可能とするアプリケーションプログラムであって、
前記アプリケーションプログラムには、前記スキャンデータを内包させるとともに、当該アプリケーションプログラムの使用を制限する使用制限情報を内包させ、
前記使用制限情報と前記スキャンデータとを内包したアプリケーションプログラムを可搬性記憶媒体に保存させることをコンピュータに実行させ、
前記可搬性記憶媒体に保存された用途対応のアプリケーションプログラムは、前記画像読取装置に接続されたパソコンで前記スキャンデータの用途を限定して実行できるプログラムであり、
前記アプリケーションプログラムに内包された前記使用制限情報は、前記画像読取装置に接続されたパソコンでアプリケーションプログラムの使用を制限するセキュリティを設定するための情報である
ことを特徴とするアプリケーションプログラム。
【発明の詳細な説明】
【技術分野】
【０００１】
本発明は、着脱可能な可搬性記憶媒体のインタフェースを有する画像読取装置等の組み込み機器に関し、特に、スキャンデータを特定用途のみに利用可能な形式で可搬性記憶媒体へ保存することで、スキャンデータの不正運用を制限するセキュリティ技術に関する。
【背景技術】
【０００２】
近年、画像読取装置で読み取った画像データの保存形態として、ＳＤカード、メモリスティック等の可搬性記憶媒体を用いることでネットワークを介さないスキャンデータ（画像）の保存が行なわれるようになってきた。このようなスキャンデータの保存形態では、可搬性記憶媒体の紛失、盗難による情報漏洩が懸念される。これに対して、スキャンデータを暗号化して可搬性記憶媒体を持ち歩くことも提案されているが、利用者が複合キー（パスワード）を覚えておき、スキャンデータを使用する際には、その都度パスワードを入力する手順が必要であり、操作が煩雑であるという事情があった。
【０００３】
また、暗号化機能を備えたデバイスの従来技術として、コンテントを受信し、暗号化し、暗号化したコンテントの電子出力を提供するデバイスは、例えば特許文献１に開示されている。特許文献１によると、このデバイスは、復号鍵、暗号化されたコンテントの電子出力の識別情報、および選択的にコンテントの記述等の暗号化についての情報を提供する関連したペーパー出力を生成するようになっている。暗号化されたコンテントから復号鍵を切り離すことにより、鍵を暗号化されたコンテントとは別に保管するので、暗号化されたコンテントのセキュリティが高まる。
【特許文献１】特開２００５−１００４１２号公報
【発明の開示】
【発明が解決しようとする課題】
【０００４】
しかしながら、上記特許文献１を含めた暗号化機能を備えた従来技術においては、取り込んだデータの利用に当たって、パスワードを記憶しこれを入力する手順を踏むという操作が必要であり、また、データ復号用の鍵の管理が必要とされ、データ利用に煩雑性があった。                                            
本発明の目的は、可搬性記憶媒体に格納した際の情報漏洩と認証操作の煩雑さの解消を実現しつつ、データの安全な印刷や閲覧等の運用を可能とする画像読取装置を提供することにある。
【発明の効果】
【０００５】
本発明によると、スキャンデータをアプリケーションプログラムに内包させるとともに、アプリケーションプログラムの使用を制限する情報をアプリケーションプログラムに内包させて可搬性記憶媒体へ保存することにより、スキャンデータの不正利用を制限することができる。
【発明を実施するための最良の形態】
【０００６】
本発明の実施形態に係る画像読取装置について、図１〜図１０を参照しながら以下詳細に説明する。図１は本発明の実施形態に係る画像読取装置における概略的機能を示すブロック図である。図２は本実施形態に係る画像読取装置における全体構成を示すブロック図である。図３は本実施形態に係る画像読取装置がスキャンデータをアプリケーションプログラムへ格納してＵＳＢメモリに保存する説明図である。図４は本実施形態に係る画像読取装置の画像読み込みにおけるオペレーションパネルを示す図である。
【０００７】
また、図５は本実施形態に関するアプリケーションプログラムの使用を制限するパスワードの設定画面を示す図である。図６は本実施形態に関するアプリケーションプログラムの使用を制限する情報の設定画面を示す図である。図７は本実施形態に関するアプリケーションプログラムの使用を制限する使用回数の設定画面を示す図である。図８は本実施形態に関するアプリケーションプログラムの使用を制限する使用期間の設定画面を示す図である。図９は本実施形態に関するスキャンデータを可搬性記憶媒体へ保存するフローチャートである。図１０は本実施形態に関するアプリケーションプログラムを介してスキャンデータを印刷するフローチャートである。
【０００８】
図１において、本実施形態に係る画像読取装置１は、機能上の構成として、コピーアプリケーション２、ファクスアプリケーション３、プリンタアプリケーション４、Ｗｅｂアプリケーション５、システム制御サービス６、ファクス制御サービス７、エンジン制御サービス８、メモリ制御サービス９、操作部制御サービス１０、ネットワーク制御サービス１１、ＯＳ１２、エンジン制御ボード１３、プロッタエンジン１４、スキャナエンジン１５、その他ハードウェアリソース１６、を備えている。
【０００９】
図２において、本実施形態に係る画像読取装置１は、ハードウェア構成として、コントローラ２０、操作部（オペレーションパネル）２１、ファクス制御ユニット２２、プロッタ２３、スキャナ２４、その他ハードウェアリソース２５、ＵＳＢメモリ２６、メモリカード２７、ＣＰＵ３０、ＮＢ（Ｎｏｒｔｈ  Ｂｒｉｄｇｅ）３１、ＡＳＩＣ（Ａｐｐｌｉｃａｔｉｏｎ  Ｓｐｅｃｉｆｉｅｄ  ＩＣ）３２、メモリ−Ｐ（３３）、メモリ−Ｃ（３４）、ＨＤＤ３５、シリアルバス４０、ＮＩＣ（Ｎｅｔｗｏｒｋ  Ｉｎｔｅｒｆａｃｅ  Ｃａｒｄ）４１、ＵＳＢ（Ｕｎｉｖｅｒｓａｌ  Ｓｅｒｉａｌ  Ｂｕｓ）４２、ＩＥＥＥ８２０．１１ｂ（４３）、ＩＥＥＥ１３９４（４４）、ＵＳＢホスト４５、メモリカードＩ／Ｆ４６、を備えている。
【００１０】
図３において、本実施形態に係る画像読取装置５０は、ユーザインタフェース５１、画像読取インタフェース５２、画像読取制御機構５３、保存データ生成機構５４、アプリケーションプログラム格納領域５５、機器情報（シリアルナンバー、モデル名など）格納領域５６、スキャンデータ保存機構５７、を備えており、各構成要素の接続関係は図示する通りである。また、図３は、本実施形態の特徴の１つである、ＵＳＢメモリ６０におけるスキャンデータ６３の格納態様を示していて、ＵＳＢメモリ６０には、アプリケーションプログラム６１中に、アプリケーションプログラムの使用を制限する情報６２とスキャンデータ６３を内包させている。ＵＳＢメモリ６０は可搬性記憶媒体の一例である。ＵＳＢメモリの外に半導体媒体（例えば、ＲＯＭ、不揮発性メモリ等）、光媒体（例えば、ＤＶＤ、ＭＯ、ＭＤ、ＣＤ等）、磁気媒体（例えば、磁気テープ、フレキシブルディスク等）等のいずれであってもよい。
【００１１】
図４は本実施形態に係る画像読取装置のオペレーションパネル（操作部）２１（図２参照）を示す図であり、画像（例えばスキャンデータ）の取り込み先を可搬性記憶媒体（図３のＵＳＢメモリ６０参照）を指定した場合に、図４が操作部２１に表示される。スキャナ読取の場合に、図４に示す画面でアプリケーションプログラム（以下、アプリ又はアプリケーションと略称する）の選択を行い、必要に応じてセキュリティの設定を行なう。ユーザビリティを向上させるために、オペレーションパネル２１はタッチパネルであることが望ましい。
【００１２】
図４において、スキャンデータの用途に応じてアプリ設定を行うが、具体的例示として、閲覧アプリ７０、印刷アプリ７１（スキャンデータを印刷することのできるプログラム）、ＦＡＸアプリ７２、メールアプリ７３のいずれか又は複数を選択する。また、後述するが、セキュリティの設定項目としては、パスワード設定７４、シリアル設定７５、使用回数設定７６、使用期間設定７７が挙げられる。
【００１３】
ここで、画像読取装置と後述するパソコン（ＰＣ）との関係について述べると、図３に示すようにスキャンデータ６３とアプリ使用制限情報６２とを内包したアプリケーションプログラム６１（画像読取装置５０で前記内包の処理を実行）の格納されたＵＳＢメモリ６０が、この画像読取装置５０から外されて、画像読取装置と通信手段で接続されたＰＣに装着され、当該ＰＣで可搬性記憶媒体のアプリケーションプログラム６１が読み出され、当該プログラム６１のＰＣでの実行によって、閲覧が可能となったり、ＰＣに接続されたプリンタなどの機器（前記内包処理を実行した画像読取装置をも含む）に対して、印刷送信を行って印刷したり、ＦＡＸ送信したり、メール送信したりする。図４に示す種々のセキュリティ設定が図３に示すアプリケーションプログラムの使用制限情報となるのである。
【００１４】
図５は、図４のセキュリティ設定でパスワード設定ボタン７４を押した場合の表示例である。図５に示す画面でパスワードを設定した場合、パソコン（ＰＣ）でアプリケーションを実行したときに利用者にパスワードの問い合わせを行なうこととなる。図３に示す可搬性記憶媒体の例示であるＵＳＢメモリ６０には、設定されたアプリと設定されたパスワードが格納されているので、このパスワードがアプリケーション実行の使用制限情報となる。
【００１５】
図６は、図４のセキュリティ設定でシリアル設定ボタンを押した場合の表示例である。図６に示す場面で選択する値は、アプリケーションが印刷やＦＡＸなどの機能を実施するときに（シリアル設定を操作実行する画像読取装置に外部接続されたＰＣは、装着された可搬性記憶媒体に格納された閲覧、印刷、ＦＡＸ又はメールのいずれかのアプリケーションプログラムを動作させることで印刷やＦＡＸなどの機能を実施できる）、実行の可否を判断するためのマッチ条件である（条件が合致するときに限り、可搬性記憶媒体に搭載された閲覧、印刷、ＦＡＸ又はメールのいずれかのアプリケーションプログラムを実行できる）。図６に示すシリアル設定は、印刷、ＦＡＸ、メールといった機能を利用する際に、サービスを実現する機器（前記内包処理を実行した画像読取装置をも含む）であるか否かを判断するために利用するものであり、その利用の仕方の詳細は後述する。
【００１６】
図７は、図４のセキュリティ設定で使用回数設定ボタンを押した場合の表示例である。図７に示す画面ではアプリケーションプログラムを介してスキャンデータを利用可能な回数の上限を設定する。
【００１７】
図８は、図４のセキュリティ設定で使用期間設定ボタンを押した場合の表示例である。図８に示す画面ではアプリケーションプログラムを介してスキャンデータを利用可能な期間を設定する。表示例はカレンダー形式で使用期間を設定する例である。必ずしもカレンダーである必要はなく、スキャン日時からの経過時間を設定する形式でもよい。
【００１８】
次に、本実施形態に係る画像読取装置の動作について、図９を参照しながらスキャンデータを可搬性記憶媒体へ保存するまでの流れを説明する。スキャンデータを可搬性記憶媒体へ保存するには、まず、可搬性記憶媒体を画像読取装置に接続する必要がある。可搬性記憶媒体を接続すると、図４の画面を呼び出すことができる。
【００１９】
図４の画面において、スキャンデータを内包するアプリケーションの機能を設定する。機能は複数選択することも可能である。ここで、閲覧アプリ７０は、ＰＣ上でスキャンデータのプレビューを表示する機能である。印刷アプリ７１は、ＰＣから印刷機能をもつサービス機器にスキャンデータの印刷送信を行なう機能である。ＦＡＸアプリ７２は、ＰＣからＦＡＸ機能をもつサービス機器を経由してＦＡＸを送信する機能である。メールアプリ７３は、ＰＣからメール送信機能をもつプリンタを経由してメールを送信する機能である。ユーザビリティを考慮する場合、閲覧アプリと他のアプリの組み合わせることが望ましい。
【００２０】
また、セキュリティ設定も複数選択することが可能である。ここで、パスワード設定７４は、ＰＣでアプリを起動したときに、アプリの使用可否を判断するために利用する。
【００２１】
シリアル設定７５は、印刷、ＦＡＸ、メールといった機能を利用する際に、サービスを実現する機器であるか否かを判断するために利用する。このシリアル機能により、スキャンデータを利用可能な環境を限定することが可能となる。すなわち、サービスを利用するにはシリアル設定の条件にマッチする機器が必要であり、スキャンデータの運用可能な範囲を、例えば職場限定にするといった利用方法が可能となる。これにより、悪意のある第３者がスキャンデータを社外へ持ち出して不正利用する可能性を大幅に減らすことが可能となる。
【００２２】
図６を参照すると、シリアル設定におけるシリアルＮｏおよびモデル名による設定は、機器の保持する機種情報である。ＭＡＣアドレスは、完全一致で判断してもよいし、メーカを示すコードのみをマッチさせることでメーカ限定といったフィルタをかけること可能である（例えば、特定メーカのサービス機器であればいずれの機器であっても印刷又はＦＡＸできるように、シリアル設定をすることができる）。ネットワークアドレスは、例えばＩＰアドレスである。アプリを実行するＰＣのもつＩＰのネットワークアドレスが、画像読取装置と同一であれば印刷することが可能である。                
図９に示すアプリ選択とセキュリティ選択は順不同であり、どちらを先に設定してもかまわない。図９に示すように、設定完了後、スキャン開始を指示することで、画像の取り込みが行なわれる（スキャン実行）。スキャン完了後、アプリケーションの結合とスキャンデータのアプリへの格納が行なわれる。そして、一つのアプリケーションとして可搬性記憶媒体へ保存を行なう（ＵＳＢメモリへの保存の形態は図３を参照）。これによって、スキャンデータ保存時にアプリケーションプログラムを生成することで、プログラム保持に必要なメモリの節約を実現することができる。
【００２３】
次に、図１０を用いて、アプリケーションプログラムを介してスキャンデータを印刷するまでの流れを説明する。まず、スキャンデータを印刷するには、ＰＣへ可搬性記憶媒体を接続する（Ｓ１）。例えばＷｉｎｄｏｗｓ（登録商標）  ＯＳにおいてアプリケーションプログラムは、一つの実行ファイルとして閲覧できる。利用者はこの実行ファイルを実行する（Ｓ２）。ここで、ＰＣに接続された可搬性記憶媒体（例えばＵＳＢメモリ）には、図３に示すように、アプリケーションプログラム６１中にスキャンデータ６３とアプリ使用制限情報６２が内包されているのである。したがって、このＵＳＢメモリ６０をＰＣに接続すれば、スキャンデータの用途（例えば、印刷）に対応したアプリとスキャンデータと使用制限情報とを入手することができる。
【００２４】
パスワード設定を行なっている場合（Ｓ３）、利用者へ問い合わせが行なわれ、パスワード入力がされる（Ｓ１０）。パスワードがＯＫか否かが判断され（Ｓ１１）、パスワードが正しくない場合は、プログラムを終了する。
【００２５】
パスワードがＯＫであれば、使用回数又は使用期間の設定（Ｓ４）を行なっている場合は、その確認が行われる（Ｓ１２）。使用回数および使用期間の情報はアプリケーションプログラム６１内に暗号化した状態で保持されている。使用回数や使用期間がオーバーしていた場合（Ｓ１３）は、プログラムは自プログラムを削除する（Ｓ１７）。この削除に伴ってプログラムに内包されていたスキャンデータも削除される。なお、使用回数や使用期間の外の使用制限情報についても、図３に示す段階で暗号化されてよい。さらに、使用制限情報以外にもスキャンデータについても暗号化してアプリケーションプログラムに内包させてもよい。
【００２６】
Ｓ５でシリアル設定がある場合は、ネットワーク環境やＰＣに設定されているプリンタ情報（サービス機器の情報）から印刷を実行しても良い機器であるか否かを判断する（Ｓ１４，Ｓ１５）。アプリケーションプログラムに内包された使用制限情報とプリンタ情報とを元に印刷してよい機器か否かを判断する。印刷が可能なプリンタが見つからない場合はプログラムを終了する。セキュリティ設定でＮＧが出ない場合は、印刷が行なわれる（Ｓ６）。
【００２７】
次いで、印刷完了後、使用回数が設定されている場合は、残使用回数をデクリメントする（Ｓ１６）。最後に、残使用回数の確認を行い、残使用回数が０であれば（Ｓ８）、プログラム自身を削除して（Ｓ１７）、プログラムは終了する（Ｓ１９）。図１０に示す各ステップは、図３に示すアプリケーションプログラム６１によってなされる処理であり、例えば、ＰＣで実行される処理内容である。
【００２８】
以上説明したように、本発明の実施形態に係る画像読取装置は、次のような構成を備え、効果を奏することを主たる特徴とするものである。すなわち、スキャンデータをアプリケーションプログラムに内包しつつ、アプリケーションプログラムの機能を限定することで、スキャンデータ作成者が予期しないスキャンデータの不正利用を制限することができる。また、スキャンデータをＰＣで実行可能なアプリケーションプログラムに内包して可搬性記憶媒体へ保存することにより、スキャンデータの利便性を向上させることができる。
【００２９】
また、スキャンデータ保存時にアプリケーションプログラムを生成することで、プログラム保持に必要なメモリの節約を実現することができる。スキャンデータを暗号化することで、スキャンデータ作成者が予期しないスキャンデータの不正利用を制限できる。
【００３０】
また、スキャンデータの閲覧機能を備えることでスキャンデータを閲覧することができる。スキャンデータの印刷機能を備えることでスキャンデータを印刷することができる。スキャンデータのＦＡＸ送信機能を備えることでスキャンデータおＷＦＡＸ送信することができる。スキャンデータのメール送信機能を備えることでスキャンデータをメール送信することができる。                        また、スキャンデータの利用回数を制限することで、スキャンデータが不正に利用される危険性が低減する。スキャンデータを利用可能な期間を限定することで、データが不正に利用される危険性が低減する。スキャンデータを利用可能なデバイスを限定することで、データが不正に利用される危険性が低減する。アプリケーション起動時にパスワードを確認することで、スキャンデータが不正に利用される危険性が低減する。
【００３１】
換言すると、本発明の実施形態に係る画像形成装置は、スキャンしたデータを特定の閲覧、印刷などの業務を提供するアプリケーションプログラム内へ内包することを特徴とする。利用者はこのアプリケーションを介して、スキャンデータの閲覧、印刷などが可能である。そして、このアプリケーションがスキャンデータの用途を限定することで、可搬性記憶媒体に格納した際の情報漏洩や認証操作の煩雑さの解消を実現しつつ、安全な印刷データの運用をすることができる。すなわち、本実施形態では、鍵管理の排除によるユーザビリティ向上、スキャンデータの利用方法を限定することでスキャンデータの不正利用防止、アプリケーションが使用できるデバイスを限定することでスキャンデータの不正利用防止、可搬性記憶媒体に格納されたソフトを介してアクセスすることによる利用期限や使用回数などこれまで管理が困難であった事項の管理、スキャンデータ暗号化による可搬性記憶媒体が盗難や紛失の不正利用防止、などを実現するものである。
【図面の簡単な説明】
【００３２】
【図１】本発明の実施形態に係る画像読取装置における概略的機能を示すブロック図である。
【図２】本実施形態に係る画像読取装置における全体構成を示すブロック図である。
【図３】本実施形態に係る画像読取装置がスキャンデータをアプリケーションプログラムへ格納してＵＳＢメモリに保存する説明図である。
【図４】本実施形態に係る画像読取装置の画像読込におけるオペレーションパネルを示す図である。
【図５】本実施形態に関するアプリケーションプログラムの使用を制限するパスワードの設定画面を示す図である。
【図６】本実施形態に関するアプリケーションプログラムの使用を制限する情報の設定画面を示す図である。
【図７】本実施形態に関するアプリケーションプログラムの使用を制限する使用回数の設定画面を示す図である。
【図８】本実施形態に関するアプリケーションプログラムの使用を制限する使用期間の設定画面を示す図である。
【図９】本実施形態に関するスキャンデータを可搬性記憶媒体へ保存するフローチャートである。
【図１０】本実施形態に関するアプリケーションプログラムを介してスキャンデータを印刷するフローチャートである。
【符号の説明】
【００３３】
１…画像読取装置、２…コピーアプリケーション、３…ファクスアプリケーション、４…プリンタアプリケーション、５…Ｗｅｂアプリケーション、６…システム制御サービス、７…ファクス制御サービス、８…エンジン制御サービス、９…メモリ制御サービス、１０…操作部制御サービス、１１…ネットワーク制御サービス、１２…ＯＳ、１３…エンジン制御ボード、１４…プロッタエンジン、１５…スキャナエンジン、１６…その他ハードウェアリソース、２０…コントローラ、２１…操作部（オペレーションパネル）、２２…ファクス制御ユニット、２３…プロッタ、２４…スキャナ、２５…その他ハードウェアリソース、２６…ＵＳＢメモリ、２７…メモリカード、３０…ＣＰＵ、３１…ＮＢ（Ｎｏｒｔｈ  Ｂｒｉｄｇｅ）、３２…ＡＳＩＣ（Ａｐｐｌｉｃａｔｉｏｎ  Ｓｐｅｃｉｆｉｅｄ  ＩＣ）、３３…メモリ−Ｐ、３４…メモリ−Ｃ、３５…ＨＤＤ、４０…シリアルバス、４１…ＮＩＣ（Ｎｅｔｗｏｒｋ  Ｉｎｔｅｒｆａｃｅ  Ｃａｒｄ）、４２…ＵＳＢ（Ｕｎｉｖｅｒｓａｌ  Ｓｅｒｉａｌ  Ｂｕｓ）、４３…ＩＥＥＥ８２０．１１ｂ、４４…ＩＥＥＥ１３９４、４５…ＵＳＢホスト、４６…メモリカードＩ／Ｆ、５０…画像読取装置、５１…ユーザインタフェース、５２…画像読取インタフェース、５３…画像読取制御機構、５４…保存データ生成機構、５５…アプリケーションプログラム格納領域、５６…機器情報格納領域、５７…スキャンデータ保存機構、６０…ＵＳＢメモリ、６１…アプリケーションプログラム、６２…アプリケーションプログラムの使用を制限する情報、６３…スキャンデータ、７０…閲覧アプリ、７１…印刷アプリ、７２…ＦＡＸアプリ、７３…メールアプリ、７４…パスワード設定、７５…シリアル設定、７６…使用回数設定、７７…使用期限設定
【図１】
0004669793.tif 000002
【図２】
0004669793.tif 000003
【図３】
0004669793.tif 000004
【図４】
0004669793.tif 000005
【図５】
0004669793.tif 000006
【図６】
0004669793.tif 000007
【図７】
0004669793.tif 000008
【図８】
0004669793.tif 000009
【図９】
0004669793.tif 000010
【図１０】
0004669793.tif 000011